(57)【要約】【課題】  集魚効果の高いルアーを提供する。【解決手段】本考案のルアー１は、ルアー本体２と、前記ルアー本体２から延設された可撓性を有する板状部６と、を備え、前記板状部６が、その基端部から先端部にかけて、前記ルアー本体２の前方に向かって延設され、少なくとも前記板状部６の先端部とルアー本体２の間に空隙が設けられている。【選択図】  図３
0003192018.tif 000002
【実用新案登録請求の範囲】
【請求項１】
ルアー本体と、
前記ルアー本体から延設された可撓性を有する板状部と、を備え、
前記板状部が、その基端部から先端部にかけて、前記ルアー本体の前方に向かって延設され、
少なくとも前記板状部の先端部とルアー本体の間に空隙が設けられているルアー。
【請求項２】
前記板状部が、前記ルアー本体の側面から前方外側に向かって延設されている請求項１に記載のルアー。
【請求項３】
前記ルアー本体から突設されているスペーサー部をさらに備え、  
前記スペーサー部が、前記ルアー本体と前記板状部の間に介在されている請求項１または２に記載のルアー。
【請求項４】
前記先端部の厚みが、前記基端部の厚みよりも大きく形成されている請求項１乃至３のいずれか一項に記載のルアー。
【請求項５】
前記板状部の内面に前後方向に平行に延びる整流部が設けられている請求項１乃至４のいずれか一項に記載のルアー。
【請求項６】
前記板状部の先端縁に沿って設けられた引掛り防止部を有する請求項１乃至５のいずれか一項に記載のルアー。
【考案の詳細な説明】
【技術分野】
【０００１】
本考案は、魚釣り用のルアーに関する。
【背景技術】
【０００２】
従来、魚釣りにおいてルアーが用いられている。ルアーは、釣りの対象となる魚や烏賊等（対象魚）の餌（小魚、海老等）を模して作られる。そして、水中に投げ入れられたルアーをミチ糸で引くことで、対象魚の餌の動きに似せることができる。
そして、ルアーを見て本物の餌と錯覚した対象魚は、ルアーに惹きつけられ、ルアーに食いつき、釣り人に釣り上げられることとなる。
対象魚はルアーに食いつく前に視覚によってルアーを餌と認識して、ルアーに狙いを定めて食いつく。即ち、対象魚に対して高い視覚的アピール性を有するルアーを使用することが、良好な釣果を得るために有効である。
このような視覚的アピール性を有するルアーとして、例えば特許文献１に記載のルアーが知られている。
【０００３】
特許文献１のルアーは、ルアー本体の前方の側面に眼球を模して取付けられた光反射体を有する。
このルアーは、光反射体に当った光が乱反射することにより、水中で対象魚を視覚的に惹きつけることができる。その結果、対象魚がルアーを容易に見つけることができ、集魚効果が上がる。
しかしながら、特許文献１のルアーは、水が濁っている或いは光が少ない岩陰などで使用した際には、光が乱反射しにくいため、対象魚への集魚効果が低下する。
【先行技術文献】
【特許文献】
【０００４】
【特許文献１】特開２０１１−４１５３７号公報
【考案の概要】
【考案が解決しようとする課題】
【０００５】
本考案の課題は、集魚効果の高いルアーを提供することである。
【課題を解決するための手段】
【０００６】
本考案者が鋭意研究を行った結果、対象魚が餌となる小魚等に食いつくまでに、２段階のステップがあることを見出した。
先ず第１のステップは、対象魚が餌となる小魚等の泳ぐ時に発生する波動を感じ、餌の存在を感じ取り、餌となる小魚等の凡その位置を認識することである。
対象魚の餌である小魚等が泳ぐ際、ヒレなどによって細かく水をかくことで波動が生ずる。波動は水の清濁にかかわらず、対象魚が視覚により餌を認識できる範囲よりも広範に伝わる。対象魚は、視覚で捉えきれない範囲の小魚等の存在を波動により認識し、波動の発生源（泳いでいる小魚等）に近づいていくと考えられる。
次に、第２のステップは、その餌となる小魚等を視覚で認識（視認）することである。第１のステップにより、波動の発生源に近づいた対象魚は、視覚によって小魚等の正確な位置を認識し、最終的に小魚等を見ながら追い、補食すると考えられる。
本考案者は、波動で対象魚を誘うことがさらに有効であると考え、下記の手段により、集魚効果の高いルアーが得られることを見出した。
【０００７】
本考案のルアーは、ルアー本体と、前記ルアー本体から延設された可撓性を有する板状部と、を備え、前記板状部が、その基端部から先端部にかけて、前記ルアー本体の前方に向かって延設され、少なくとも前記板状部の先端部とルアー本体の間に空隙が設けられている。
【０００８】
本考案のルアーは、水中に投げ入れられミチ糸で引かれることにより、板状部の先端部とルアー本体の間の空隙に前方から水流が流れ込む。その空隙に流れ込んだ水流は板状部にあたり、水流によりその板状部が後方に反り返るように変形する。変形した板状部にあたる水流は、ルアーの引かれる速度の変化により変動する。板状部にあたる水流が変動することで板状部が上下左右に揺動し波動が発生する。そして、対象魚がルアーを視認できない遠方にいる場合でも波動を感じ、ルアーを小魚等の餌と錯覚して近づいてくる。そして、ルアーに近づいてきた対象魚は、ルアーを視認し、ルアーに食いつくようになる。
【０００９】
本考案のルアーは、好ましくは、前記板状部が、前記ルアー本体の側面から前方外側に向かって延設されている。例えば、前記板状部の先端部から基端部を結んだ仮想直線と前記ルアー本体の前後方向との成す角度が５°〜８０°となるように、前記板状部が前記ルアー本体に設けられている。
本考案のルアーは、好ましくは、前記ルアー本体から突設されているスペーサー部をさらに備え、前記スペーサー部が、前記ルアー本体と前記板状部の間に介在されている。例えば、前記スペーサー部が、前記基端部よりも外側に突出されている。
本考案のルアーは、好ましくは、前記先端部の厚みが、前記基端部の厚みよりも大きく形成されている。
本考案のルアーは、好ましくは、前記先端部の幅が、前記基端部の幅よりも大きく形成されている。
本考案のルアーは、好ましくは、前記板状部の内面に前後方向に平行に延びる整流部を有する。
本考案のルアーは、好ましくは、前記板状部の先端縁に沿って設けられている引掛り防止部を有する。
本考案のルアーは、好ましくは、前記板状部の外面と内面の色が異なっている。
【考案の効果】
【００１０】
本考案のルアーは、使用時に所望の波動を生じ、それにより高い集魚効果を有する。従って、本考案のルアーを使用すれば、良好な釣果を期待できる。
【図面の簡単な説明】
【００１１】
【図１】第１実施形態に係るルアーの側面図。
【図２】同ルアーの平面図。
【図３】同ルアーの使用状態を示す平面図。但し、板状部の揺動を二点鎖線で示している。
【図４】板状部が最も反り返ったとき（図３の符号６’に位置するとき）の同ルアーの使用状態を示す側面図。
【図５】（ａ）乃至（ｃ）は、板状部の各種の変形例を示す平面図及び側面図。
【図６】第２実施形態に係るルアーを示す側面図。
【図７】同ルアーの平面図。但し、ルアーの使用によって生じる板状部の揺動を二点鎖線で示している。
【図８】板状部が最も反り返ったとき（図７の符号６’に位置するとき）の同ルアーの使用状態を示す側面図。
【図９】第３実施形態に係るルアーの側面図。
【図１０】板状部を省略した同ルアーの側面図。但し、板状部を二点鎖線で示している。
【図１１】同ルアーの使用状態を示す平面図。但し、板状部の揺動を二点鎖線で示している。
【図１２】板状部が最も反り返ったとき（図１１の符号６’に位置するとき）の同ルアーの使用状態を示す側面図。
【図１３】第４実施形態に係るルアーの側面図。
【図１４】同ルアーの使用状態を示す平面図。但し、板状部の揺動を二点鎖線で示している。
【図１５】板状部が最も反り返ったとき（図１４の符号６’に位置するとき）の同ルアーの使用状態を示す側面図。
【図１６】第５実施形態に係るルアーを示す側面図。但し、板状部を二点鎖線で示している。
【図１７】同ルアーの平面図。
【図１８】同ルアーの正面図。
【考案を実施するための形態】
【００１２】
以下、本考案の好ましい実施形態について、図面を参照しつつ具体的に説明する。
なお、本明細書において、方向性を示す用語として、「上方」は本考案のルアーが水中で滞留している状態において、前記ルアーの鉛直上側の方向を指し、「下方」は前記「上方」の反対方向を指し、「前方」は前記ルアーがミチ糸で巻き引かれた際にルアーが進む方向を指し、「後方」は前記「前方」の反対方向を指し、「左右方向」は上下方向及び前後方向の何れにも垂直な方向を指し、「外側」はルアー本体から離れる側を指し、「内側」は前記「外側」の反対側を指す。
【００１３】
［第１実施形態］
本実施形態のルアー１は、図１及び図２に示すように、ルアー本体２と、ルアー本体２から延設された可撓性を有する板状部６と、ミチ糸取付部３と、錘部５と、釣り針４と、を備えている。
本実施形態のルアー１は、烏賊を釣るための小魚を模したエギである。
【００１４】
＜ルアー本体＞
ルアー本体２は、本考案のルアー１の中核となる部材である。ルアー本体２は、その形状、色彩などにより、対象魚を誘うことができる。ルアー本体２の形状は特に限定されず、例えば、小魚を模した形状、海老を模した形状などが採用できる。
本実施形態のルアー本体２は、図１に示すように、小魚を模した形状に形成されており、小魚の器官（目やエラ等）を再現した色彩が必要に応じて施される。
ルアー本体２の色彩は、対象魚を惹きつけるものであれば特に限定されない。色彩は有彩色であってもよいし、無彩色であってもよいし、蛍光色であってもよいし、燐光色であってもよい。好ましくは、色彩は有彩色、蛍光色、又は燐光色であり、より好ましくは蛍光色又は燐光色であり、特に好ましくは燐光色である。色彩が蛍光色又は燐光色であれば、濁度の高い水中においても十分に目立ち、対象魚を惹きつけることで、集魚効果を上げることができる。
色彩は赤色や黄色の暖色であってもよく、青色や紫色の寒色であってもよく、緑色などの中間色でもよい。好ましくは色彩は暖色である。暖色で着色されたルアー本体２は、寒色又は中間色で着色されたルアー本体２に比して対象魚を効果的に惹きつけ、釣果を向上させることができる。
ルアー本体２の形成材料は、特に限定されず、対象魚が食いついても壊れない程度の機械的強度を有する材料が用いられる。このような材料としては、金属、木材、樹脂などが挙げられ、好ましくは樹脂が用いられ、より好ましくは成型が容易であることからＡＢＳ樹脂が用いられる。
ルアー本体２は、通常、複数の成形体を接合することによって形成される。例えば、ＡＢＳ樹脂で射出成形された左右一対の半割成形体を接合して形成し、それに前記着色を施し、ルアー本体２を製造することができる。このような一対の半割成形体を接合して得られるルアー本体２は、接合前に、その接合部に予め凹部を設け、釣り糸や釣り針４を連結するための部材等の一部をその凹部に埋め込んで接合することにより、それらの部材を容易にルアー本体２に固定できるので好ましい。
【００１５】
＜ミチ糸取付部＞
ミチ糸取付部３は、ミチ糸（図示せず）が係脱可能に取付けられる部材である。釣り竿（図示せず）とルアー１はミチ糸取付部３に取付けられたミチ糸を介して連結される。釣り人はミチ糸を引くことでルアー１を動かすことができる。
本実施形態のミチ糸取付部３は、ルアー本体２の前方の上部に設けられている。もっとも、ミチ糸取付部３は、ルアー本体２の前方の上部に限られず、ルアー本体２の口部（ルアー本体２の前方の端部）や背ビレ部（ルアー本体２の前後方向の中途部の上側）などに設けられてもよい。
ミチ糸取付部３を構成する部材は、特に限定されず、例えば、線材、板状材、柱状材などが挙げられる。その部材を形成する材料は、特に限定されず、例えば、金属、樹脂などが挙げられ、好ましくは、金属が用いられ、より好ましくは、錆びにくいステンレス又はメッキされた鋼などが用いられる。
図示例では、ミチ糸取付部３は、ルアー本体２の上面から半円弧状に突出するように形成されている。このようなミチ糸取付部３は、例えば半円弧状に形成された部分を有する針金を用いて形成することができる。具体的には、略Ω字状の針金の一端部と他端部がルアー本体２に埋め込まれており、その両端部を除く中途部がルアー本体２の表面から突出されることによって半円弧状のミチ糸取付部３が形成される。
【００１６】
＜錘部＞
錘部５は、水の比重よりも大きな比重を有し、ルアー１の浮力を調整する部材である。
本実施形態の錘部５は、ルアー本体２の外部に設けられている。もっとも、錘部５が設けられる位置は、ルアー本体２の外部に限られず、ルアー本体２の内部に設けてもよい。ルアー本体２の内部に錘部５を設けることで、水流が錘部５に当たってルアー１の動きに影響がでることを防止できる。
図示例では、錘部５は、ルアー本体２の前方の下部に取り付けられているが、錘部５の取り付け位置は特に限定されず、ルアー本体２の後方の下部などに取り付けてもよい。
また、錘部５の形状は、図示例に限定されず、従来公知の形状を採用できる。
錘部５の比重は、特に限定されないが、好ましくは６以上、より好ましくは７以上である。錘部５の形成材料は、特に限定されず、例えば、鋼、鉛、鉛合金及びタングステン合金などの金属が挙げられる。
なお、本考案のルアーをトップウオーターやフローティングタイプのルアー（水よりも比重の軽いルアーであって、水面付近の対象魚を狙う種類のルアー）として使用する場合には、必要に応じて、錘部５を省略してもよい。
【００１７】
＜板状部＞
板状部６は、揺動可能な可撓性を有する部材であって、水流を受けて波動を生じる部材である。
板状部６は、ルアー本体２から延設されている。
板状部６の形成材料としては、特に限定されず、例えば、エラストマー系樹脂を含むゴム、軟質樹脂、硬質樹脂などが挙げられる。前記軟質樹脂は、ＪＩＳ  Ｋ  ６９００−１９９４（プラスチックの用語の定義）に記載の曲げ試験又は引張試験における弾性率が７０ＭＰａ未満である軟質プラスチック及び曲げ試験又は引張試験における弾性率が７０ＭＰａから７００ＭＰａの半硬質プラスチックを含み、好ましくは、前記軟質樹脂は、同ＪＩＳの「曲げ試験又は引張試験における弾性率が２００ＭＰａ以下のプラスチックである。また、前記硬質樹脂は、同ＪＩＳに記載の曲げ試験又は引張試験における弾性率が７００ＭＰａより大きい硬質プラスチックを含む。
前記軟質樹脂として、例えば、シリコーン系樹脂、アクリル系樹脂、又はウレタン系樹脂などが挙げられる。好ましくは、板状部６として形成材料として、軟性の高いシリコーン系樹脂が用いられる。
前記硬質樹脂の成形物は、通常、可撓性を有さないが、それをシート状に加工することにより、可撓性を有する板状部を形成できる。
なお、「可撓性」とは、外力が加わらない状態では所定の形状を維持でき、水流を受けることで、その形状が変化し得る性質をいう。
【００１８】
本実施形態の板状部６は、その基端部から先端部にかけて、ルアー本体２の前方に向かって延設されている。板状部６の先端部とルアー本体２の間には空隙が設けられている。
前記板状部６は、ルアー本体２の側面から延設されている。好ましくは、図示のように、ルアー本体２の両側面に板状部６がそれぞれ設けられ、より好ましくは、対称的に板状部６が設けられる。板状部６をルアー本体２の側面に設けることにより、ルアー１が着底しても、板状部６が水底に接触し難く、且つ、ルアー１が水面に浮上しても、板状部６が水中に留まり易いので、ルアー１の着底及び浮上時にも板状部６が良好に揺動し得る。もっとも、板状部６は、ルアー本体２の側面から延設されている場合に限定されず、ルアー本体２の上面及び下面などから延設されてもよい。
ルアー本体２に板状部６を取付ける手段は特に限定されず、取付が容易な手段である接着剤等による接着、強固に取付けができる手段である止め具などによる止着、ルアー本体２に凹部を設けてそこに強く嵌め込む嵌着などを用いることができる。
本実施形態の板状部６は、図２に示すように、ルアー本体２の側面に板状部６の基端部が止め具９（抜け止め防止用返り部を有する鋲の如きもの）を用いて止着され、その基端部から先端部にかけて前方外側に向かって延設されている。この止め具９による止着に際し、止め具９を接着剤にて接着することを併用してもよい。
なお、前記止め具９は板状部６と別体であるが、前記止め具９と同様な機能を有する止め部が基端部に一体的に形成された板状部６を用いてもよい（図示せず）。
【００１９】
板状部６は、その基端部から先端部にかけてルアー本体２の前方に向かって延設され且つ少なくとも板状部６の先端部とルアー本体２の間に空隙を有していれば特に限定されない。前記「基端部から先端部にかけて前方に向かって延設されている」は、（１）基端部から先端部を結んだ仮想直線が前後方向と平行に延設されている場合、（２）基端部から先端部を結んだ仮想直線が前後方向に対して内側（前方内側）に傾いて延設されている場合、（３）基端部から先端部を結んだ仮想直線が前後方向に対して外側（前方外側）に傾いて延設されている場合が含まれる。好ましくは、板状部６は、ルアー本体２の側面において、板状部６の基端部から先端部を結んだ仮想直線が前方外側に向かうように延設されている。板状部６がルアー本体２の側面から前方外側に向かって延設されることで、板状部６の先端部とルアー本体２の間の空隙に水流が多く流れ込むことになるので、板状部６がより多くの水流を受けて変形及び揺動し、より大きな波動を生じ得る。
なお、本考案において、平行は、本考案の属する技術分野において許容される誤差範囲を含むものとする。例えば、平行は、０°±１０°の範囲内であることを意味し、好ましくは、０°±５°の範囲内である。
板状部６が前方外側に延設される場合、板状部６の先端部から基端部を結んだ仮想直線Ｍとルアー本体２の前後方向Ａとの成す角度θが、例えば、５°〜８０°、好ましくは、１０°〜６０°、より好ましくは、１５°〜４０°とされる。前記角度θが小さすぎると、板状部６が外側に揺動するための水流を十分に受けれなくなる虞がある。また、前記角度θが大きすぎると、板状部６の揺動距離が小さくなり、より大きな波動を生じない虞がある。
なお、前記角度θは、板状部６の先端部から基端部を結んだ仮想直線Ｍと前後方向Ａとが成す２つある角度のうち、鋭角の角度をいう。
【００２０】
前記板状部６の内面と外面の色彩は、同じでもよいが、好ましくは、その内面と外面には異なる色彩が施されている。その内面及び外面の色彩は、特に限定されないが、板状部６の内面が外面よりも目立つように着色されていることが好ましい。このように着色することにより、板状部６が揺動して反り返り、その内面が外部から視認されるときに目立つので、対象魚の興味を惹くことを期待できる。
前記目立つように着色する方法としては、板状部６の内面の明度及び彩度の少なくとも一方が外面のそれよりも高くなるように、彩色することが挙げられる。
この場合、板状部６の内面の平均明度（ＶＡ１）と板状部６の外面の平均明度（ＶＡ２）の差（ＶＡ１−ＶＡ２）は、好ましくは、２〜９であり、より好ましくは、３〜９であり、特に好ましくは、４〜９である。また、板状部６の内面の平均彩度（ＣＡ１）と板状部６の外面の平均彩度（ＣＡ２）の差（ＣＡ１−ＣＡ２）は、好ましくは、２〜１２であり、より好ましくは、６〜１２であり、特に好ましくは、８〜１２である。
なお、板状部６の内面の平均明度は、板状部６の内面の明度の平均値をいう。具体的には、例えば、板状部６の内面がＡ色（明度＝２）及びＢ色（明度＝８）の２色から構成されており、Ａ色の占める面積が１０であり且つＢ色の占める面積が２０である場合、板状部６の内面の平均明度は、式：（Ａ色の明度×Ａ色の面積＋Ｂ色の明度×Ｂ色の面積）／板状部６の内面の全表面積、によって算出される。前記の例では、板状部６の内面の平均明度は、６（即ち、（２×１０＋８×２０）／３０＝６）である。板状部６の内面がＡ色のみで構成されている場合、Ａ色の明度が板状部６の内面の平均明度に相当する。板状部６の内面の平均彩度、並びに、板状部６の外面の平均明度及び平均彩度についても同様である。なお、本明細書において、明度及び彩度は、マンセル表色系（ＪＩＳ  Ｚ  ８７２１）に準拠して規定された値である。
【００２１】
本実施形態の板状部６は、図１に示すように、ルアー本体２が小魚を模しているため、魚のヒレの形状を模して形成されている。
板状部６の平面視形状は、図２に示すように、直線状に形成されている（つまり、板状部６は直線状に延設されている）。もっとも、これに限定されず、板状部６の平面視形状は、例えば、円弧状、くの字状などでもよい。また、板状部６の厚みは、先端部から基端部に亘って略均一とされている。もっとも、板状部６は、平面視で、先端部から基端部において厚みが異なる部分を有していてもよい。例えば、図５（ａ）に示す板状部６は、その厚みが基端部から先端部に向かって次第に大きくように形成されている。かかる基端部の厚みが先端部の厚みよりも小さい板状部６は、水流を受けた際に基端部が変形しやすく且つ先端部が基端部に比べて変形しにくいため、より大きく揺動し得る。板状部６がより大きく揺動することによって、より大きな波動が発生する。
【００２２】
さらに、板状部６の側面視形状は、図１に示すように、その基端部から中途部かけて幅が広くなり、且つ、その中途部から先端部にかけて幅が狭くなるような三角形状に形成されている。もっとも、これに限定されず、板状部６の側面視形状は、扇形状、紡錘形状、矩形状など様々な形状を採用できる。
例えば、図５（ｂ）に示す板状部６は、その先端部の幅が基端部の幅よりも大きく形成されている。好ましくは、この板状部６は、その幅が基端部から先端部に向かって次第に大きくなるように形成されている。かかる先端部が幅広の板状部６は、先端部において多く水流を受けやすいので、より大きく揺動し得る。
【００２３】
また、板状部６の外面及び内面は、図２に示すように、平坦に形成されている。なお、図２では、板状部６の外面に、ヒレを模した色彩（線模様）が施されている。もっとも、板状部６の外面及び内面の少なくとも一方に、視覚的な効果を狙った立体的な模様形状、水流を受けやすくするために整流効果を狙った立体形状などを付与してもよい。
例えば、図５（ｂ）に示す板状部６は、その外面及び内面の少なくとも一方に、整流部６１が設けられている。この整流部６１は、前後方向に平行に延び且つ板状部６の外面（又は内面）から突設された１つ又は複数の長状突起部からなる。なお、整流部は、突起部に限られず、凹んだ溝部でもよい。前後方向に平行な整流部６１を有する板状部６は、前方から来る水流が乱れることなく後方に流れていくため、板状部６が無秩序に揺動することを防止できる。
【００２４】
さらに、図５（ｃ）に示すように、板状部６には、引掛り防止部６２が設けられていてもよい。引掛り防止部６２は、海草などの水中漂流物が板状部６に引っ掛かり難くするために設けられている。この引掛り防止部６２は、板状部６の先端縁に設けられている。具体的には、引掛り防止部６２は、板状部６の先端縁に設けられた円柱状の部分からなる。
なお、図５（ａ）乃至（ｃ）においては、紙面の左側を板状部の先端部側とし、右側を基端部側とし、平面図の下側を板状部の内面として表している。
【００２５】
＜釣り針＞
本実施形態の釣り針４は、ルアー本体２の後端（尾部）に固着されている。
釣り針４がルアー本体２に取付けられる位置は、ルアー本体２の後端（尾部）に限定されず、ルアー本体２の腹部（中途部の下側）などに取付けられてもよい。
釣り針４をルアー本体２に取付ける手段は、特に限定されず、例えば、接着剤、リング部材等を用いることができる。
図示例では、釣り針４は、ルアー本体２に固着された軸部４１と、軸部４１の一端縁から他端縁にかけて放射状に延びる複数の針部４２と、を有する。より具体的には、釣り針４の軸部４１は、略円柱状に形成されており、この軸部４１の前端部がルアー本体２に固定されており、且つ、軸部４１の後端縁から前端縁側にかけて針部４２が延出されている。
【００２６】
＜ルアーの使用及び作用効果＞
本実施形態のルアー１は、下記のようにして使用できる。
本実施形態のルアー１を水中に投入し、滞留させた状態では、板状部６は、図３の実線で示されているように、先端部が前方外側に向かっている。
そして、ルアー１をミチ糸で引くと、ルアー１が前方に進み、それに応じて板状部６の先端部とルアー本体２の間の空隙に水流が流れ込み、その水流が板状部６に当たる。可撓性を有する板状部６は、水流を受けることにより、図３及び図４に示すように、先端部が外側後方に反り返る。ルアー１の引き具合（強く引いたり、弱く引いたり、引くのを止めたりなど）、潮流の変化などに応じて、前記反り返った板状部６が、その弾性力によって元の状態（前方に延びた状態）に戻る。板状部６が反り返り及び元への復帰を繰り返すことによって波動が発生する。
そして、その波動を感じた対象魚が、ルアー１を餌と認識して、ルアー１に近づき、ルアー１を視覚で捉えて、最終的に対象魚がルアー１に食いつくので、良好な釣果を期待できる。
特に、板状部６がヒレを模した形状である場合、その板状部６の揺動と相乗して、小魚等がヒレを動かして泳いでいるように見えるので、さらに、より良好な釣果を期待できる。さらに、内面と外面の色彩が異なっている板状部６は、揺動によって色彩が変化するので、対象魚へのアピール度がより向上する。
【００２７】
次に、本考案の第２乃至第５実施形態を説明するが、それらの説明において、第１実施形態で説明した構成及び効果と異なるものについて主として説明し、第１実施形態と同様の構成などについては、その説明を省略し、用語及び符号を援用する。
【００２８】
［第２実施形態］
本実施形態のルアー１は、烏賊を釣るための海老を模したエギである。
本実施形態の板状部６は、図６及び図７に示すように、例えば、海老のハサミを模した形状をしており、腕部６３とハサミ部６４とを有している。
腕部６３は、板状部６の基端部を構成している。腕部６３は、平面視で長細い板状に形成されており、側面視で前方に向かうに従って幅広に形成されている。
ハサミ部６４は、板状部６の先端部を構成している。ハサミ部６４は、平面視で長細い板状に形成されており、側面視で腕部６３よりも幅広で且つ刃の開いたハサミ形状に形成されている。
本実施形態の板状部６は、その先端部（挟み部６４）の一部がルアー本体２の前端よりも前方に突出しているが、これに限られず、ルアー本体２の前端よりも後方に位置していてもよい。
本実施形態のルアー１も、水中に滞留させると、図７の実線で示すように海老のハサミを模した板状部６が、その先端部を前方に向けた状態となる。この状態では、板状部６を大きく反り返ることはないが、ルアー１を引くことによって、第１実施形態と同様に、板状部６の内面に水流を受けて板状部６が揺動し（図７の二点鎖線及び図８参照）、波動が生じる。
この板状部６は、腕部６３（基端部）がハサミ部６４（先端部）に比べて幅狭であるので、比較的弱い水流でも揺動し、ルアー１を低速で引いても、板状部６の揺動による波動を生じる。
【００２９】
［第３実施形態］
本実施形態のルアー１は、細長い小魚の形状を模したミノータイプのルアーである。
このルアー１には、図９及び図１０に示すように、水流抵抗板７が設けられている。水流抵抗板７によってルアー１を潜行する。水流抵抗板７は、ルアー本体２の前方下部に設けられている。水流抵抗板７の形成材料は、特に限定されず、例えば金属、木材、樹脂などが挙げられ、好ましくは、水流抵抗板７は、ルアー本体２と同一材料でそれと一体的に形成される。
本実施形態のルアー本体２には、例えば、ルアー本体２の下方（腹側）と後方（尾側）とに釣り針連結部２１が設けられている。その釣り針連結部２１には、リング部材２２を介して釣り針４が取付けられている。
【００３０】
また、本実施形態のルアー本体２は、図１０に示すように、側面に異彩部２３を有する。板状部６と異彩部２３の位置関係を分かりやすくするため、図１０においては、板状部６を仮想線で示している。
異彩部２３は、ルアー本体２の表面であって、ルアー１の側面から見て板状部６に対向した部分に設けられている。この異彩部２３は、水流を受けない状態では、板状部６によって隠蔽され、外部から見えないようになっている。
異彩部２３の色彩は、ルアー本体２の他の部分の色彩とは異なっている。異彩部２３の色は、特に限定されず、好ましくは、ルアー本体２の他の部分よりも目立つように着色される。例えば、異彩部２３の明度及び彩度の少なくとも一方がルアー本体２の他の部分の外面のそれよりも高くなるように、異彩部２３は着色されている。異彩部２３の平均明度と他の部分の平均明度の差は、好ましくは、２〜９であり、より好ましくは、３〜９であり、特に好ましくは、４〜９である。異彩部２３の平均彩度と他の部分の平均彩度の差は、好ましくは、２〜１２であり、より好ましくは、６〜１２であり、特に好ましくは、８〜１２である。異彩部の平均明度及び平均彩度並びに他の部分の平均明度及び平均彩度の意味は、第１実施形態で説明した板状部の内面及び外面の平均明度及び平均彩度と同様である。
また、異彩部２３は、光反射体を備えてもよい。好ましくは、異彩部２３が、光が当ることできらめきを生じ、視覚的アピール性の高いアルミ箔の光反射体を備える。
本実施形態のルアー１も第１実施形態と同様に、ミチ糸で引かれた際に板状部６が後方に反り返り揺動し（図１１参照）、波動が生じる。また、図１２に示すように、板状部６が反り返った際に、異彩部２３が露出するので、対象魚の興味を惹き、良好な釣果を期待できる。
【００３１】
［第４実施形態］
本実施形態のルアー１は、丸みを帯びた小魚を模したクランクタイプのルアーである。
本実施形態のルアー１も、図１３に示すように、水流抵抗板７を備えている。
本実施形態のルアー本体２には、前後方向（又は上下方向）の異なった位置に２つを超える複数の板状部６が設けられている。第１実施形態では、２つの板状部６が設けられている例を示したが、本実施形態のように、それを超える数の板状部６が設けることにより、多くの箇所で波動が生じるので好ましい。
具体的には、本実施形態の板状部６は、図１３に示すように、ルアー本体２の１つの側面当たり、前後方向に２箇所設けられている。そのうち前方側に設けられた板状部６は、その先端部が側面視で前下方に向かって延設されている。なお、この板状部６は、先端部が前方に向かって延設されていれば特に限定されず、側面視で先端部が前上方に向けて延設されていてもよい。他方、後方側に設けられた板状部６は、前後方向と平行に延設されている。複数の板状部６，６の延設方向が異なっていることにより、ルアー１が様々な方向に引かれた場合でも、いずれかの板状部６が揺動し、波動を生じるので好ましい。
本実施形態のルアー１は、図１４及び図１５に示すように、通常、前方に引かれると全ての板状部６が水流を受けて揺動し、それぞれの板状部６から波動が生じる。
【００３２】
［第５実施形態］
本実施形態のルアー１は、烏賊を釣るための小魚を模したエギである。
本実施形態のルアー１は、図１６乃至図１８に示すように、スペーサー部８を有する点で、上記各実施形態と異なっている。
スペーサー部８は、ルアー本体２から突設され、ルアー本体２と板状部６の間に介在されている。
スペーサー部８は、ルアー１の使用時に、板状部６が内側に変形することを防止する部材である。スペーサー部８は、ルアー本体２と板状部６の間に介在しているため、ルアー１の使用時に板状部６の内面がルアー本体２に貼り付き状態となることを防ぎ、板状部６の先端部とルアー本体２の間の空隙を維持できる。
本実施形態のスペーサー部８は、板状部６の基端部よりも外側に突出されている。スペーサー部８が、基端部よりも外側に突出していることにより、板状部６が内側に変形することを効果的に防止でき、板状部６が外側に反り返ることを確実ならしめる。本実施形態のスペーサー部８は、ルアー本体２から突設された複数の部分から構成され、複数の部分の間には、前後方向に通じる間隙が設けられている。図示例では、スペーサー部８は、上下方向に間隔を開けて配置された複数（例えば３個）の板状凸部から構成されている。このように、スペーサー部８が前後方向に通じる間隙を有することにより、板状部６の先端部とルアー本体２の空隙に入る水流が板状部６の内面の略全体に当たるようになり、板状部６を良好に揺動させることができる。
スペーサー部８を構成する板状凸部の数は、特に限定されず、１個でもよいが、好ましくは、上記のように複数であり、より好ましくは、２〜６個である。
本実施形態のルアー１は、スペーサー部８が設けられているので、使用時に、板状部６の先端部が内側に倒れることを防止でき、板状部６が良好に揺動するようになる。
また、ルアーの不使用時、ルアー１の側面をルアーケースなどの底面に向けてルアー１を収納する際に、板状部６が押圧されて永久変形する（いわゆる癖が付く）ことを防止できる。
【００３３】
上記第１乃至第５実施形態で示した様々な構成を、適宜組み合わせて本考案のルアー１を構成することができる。
その他、本考案のルアーは、本考案の意図する範囲で様々に設計変更可能である。
【符号の説明】
【００３４】
１…ルアー、２…ルアー本体、６…板状部、６１…整流部、６２…引掛り防止部、８…スペーサー部
【図１】
0003192018.tif 000003
【図２】
0003192018.tif 000004
【図３】
0003192018.tif 000005
【図４】
0003192018.tif 000006
【図５】
0003192018.tif 000007
【図６】
0003192018.tif 000008
【図７】
0003192018.tif 000009
【図８】
0003192018.tif 000010
【図９】
0003192018.tif 000011
【図１０】
0003192018.tif 000012
【図１１】
0003192018.tif 000013
【図１２】
0003192018.tif 000014
【図１３】
0003192018.tif 000015
【図１４】
0003192018.tif 000016
【図１５】
0003192018.tif 000017
【図１６】
0003192018.tif 000018
【図１７】
0003192018.tif 000019
【図１８】
0003192018.tif 000020